(57)【特許請求の範囲】
【請求項１】
それぞれ支柱，傾斜枠及び連結枠を備えて形成することによりＡ字形，三角形等の側面所定形状を呈するとともにこれらの折り畳みを可能として左右に対向配置した折り畳み自在にして一対の基台フレームと，該一対の基台フレームの上端及び傾斜枠中間にそれぞれ配置し，上端において３／４円回動して支柱背面に対接する転倒折り畳みを行うように支柱又は傾斜枠上端に上向き起倒回動自在に軸支固定し，中間において約３／８円以下回動して傾斜枠正面に対接する転倒折り畳みを行うように傾斜枠中間に同じく上向き起倒回動自在に軸支固定することによりそれぞれ同一方向に向けて起倒回動自在とするとともに起立することにより上記傾斜枠の前方に位置して階段状水平に配置支持自在に設置した複数の折り畳み棚を備え且つこれら折り畳み棚の上記起倒回動の軸支固定を上記支柱又は傾斜枠に配設したブラケットを介して行うことによって，上記一対の基台フレームと各折り畳み棚を一体的な面状に折り畳み自在としてなることを特徴とするフラワースタンド。
【請求項２】
上記上端及び傾斜枠中間の折り畳み棚の上向き起倒回動自在の軸支固定に代えて，これら上端及び傾斜枠中間の折り畳み棚を，それぞれ傾斜枠に１／４円以下回動して下向き起倒回動自在に軸支固定してなることを特徴とする請求項１に記載のフラワースタンド。
【請求項３】
上記一対の基台フレームを，支柱，傾斜枠及び連結枠により形成され又はこれらの一部に形成される三角形の２つの交点において回動自在の軸支固定を行い，他の１つの交点において取り外し自在の固定を行うことによって，該固定を外した交点における折曲により折り畳みを行うようにしてなることを特徴とする請求項１又は２に記載のフラワースタンド。
【請求項４】
上記一対の基台フレームに，該一対の基台フレームにおける支柱をクロスバー状に連結補強する一対のクロス枠よりなる支柱連結手段を配設してなることを特徴とする請求項１，２又は３に記載のフラワースタンド。
【請求項５】
上記ブラケットが水平支持部を備え，該水平支持部に各折り畳み棚を載置し，突き当て係合し又は係止することによって，上記階段状水平の配置支持を行ってなることを特徴とする請求項１，２，３又は４に記載のフラワースタンド。
【発明の詳細な説明】
【０００１】
【発明の属する技術分野】
本発明は，庭，ベランダ等に据え置き設置し，花鉢，盆栽鉢等を載置するように用いるフラワースタンドに関し，特にこれを折り畳み自在にしたフラワースタンドに関する。
【０００２】
【発明が解決しようとする課題】
この種フラワースタンドは，例えば組立品として製造販売されているが，この場合，在庫の保管，不要撤去時の保管，運搬等のために省スペース化をなしうるが，使用のための組立や不要時の分解には，一般にドライバー，レンチ等の工具を必要とする上，フラワースタンド構成の部品点数が多く，設置に際しての組立，撤去に際しての分解の作業が煩雑化したり，部品の不足や紛失による組立不能を招いたりする傾向がある。
【０００３】
本発明はかかる事情に鑑みてなされたもので，その解決課題とするところは，上記在庫の保管，不要撤去時の保管，運搬等のための省スペース化をなしうるとともに設置と撤去を可及的に簡易且つ確実になしうるようにしたフラワースタンドを提供するにある。
【０００４】
【課題を解決するための手段】
上記課題に沿って，本発明は，フラワースタンドを，Ａ字形，三角形等の側面所定形状にしてその折り畳みを可能とした一対の基台フレームと該一対の基台フレームに起倒回動自在にして階段状水平の支持を可能とした複数の折り畳み棚とによって形成するとともに，これら一対の基台フレームと折り畳み棚を，一体的にして一体のままの折り畳みを行うことにより，特に工具を用いることなくそれぞれワンタッチとする如くに可及的に容易な作業によって簡易にして確実な設置と撤去を可能とし，併せて撤去時の保管等の可及的な省スペース化を可能とするようにしたものであって，即ち請求項１に記載の発明を，それぞれ支柱，傾斜枠及び連結枠を備えて形成することによりＡ字形，三角形等の側面所定形状を呈するとともにこれらの折り畳みを可能として左右に対向配置した折り畳み自在にして一対の基台フレームと，該一対の基台フレームの上端及び傾斜枠中間にそれぞれ配置し，上端において３／４円回動して支柱背面に対接する転倒折り畳みを行うように支柱又は傾斜枠上端に上向き起倒回動自在に軸支固定し，中間において約３／８円以下回動して傾斜枠正面に対接する転倒折り畳みを行うように傾斜枠中間に同じく上向き起倒回動自在に軸支固定することによりそれぞれ同一方向に向けて起倒回動自在とするとともに起立することにより上記傾斜枠の前方に位置して階段状水平に配置支持自在に設置した複数の折り畳み棚を備え且つこれら折り畳み棚の上記起倒回動の軸支固定を上記支柱又は傾斜枠に配設したブラケットを介して行うことによって，上記一対の基台フレームと各折り畳み棚を一体的な面状に折り畳み自在としてなることを特徴とするフラワースタンドとし，請求項２に記載の発明を，上記上端及び傾斜枠中間の折り畳み棚の上向き起倒回動自在の軸支固定に代えて，これら上端及び傾斜枠中間の折り畳み棚を，それぞれ傾斜枠に１／４円以下回動して下向き起倒回動自在に軸支固定してなることを特徴とする請求項１に記載のフラワースタンドとしたものである。
【０００５】
請求項３に記載の発明を，上記に加えて，一対の基台フレームの安定性を確保し，その折り畳みを容易に行うように，これを，上記一対の基台フレームを，支柱，傾斜枠及び連結枠により形成され又はこれらの一部に形成される三角形の２つの交点において回動自在の軸支固定を行い，他の１つの交点において取り外し自在の固定を行うことによって，該固定を外した交点における折曲により折り畳みを行うようにしてなることを特徴とする請求項１又は２に記載のフラワースタンドとし，請求項４に記載の発明は，同じく上記に加えて，フラワースタンドの自立強度を向上し，その保形性を充分に確保するように，これを，上記一対の基台フレームに，該一対の基台フレームにおける支柱をクロスバー状に連結補強する一対のクロス枠よりなる支柱連結手段を配設してなることを特徴とする請求項１又は２に記載のフラワースタンドとし，請求項５に記載の発明は，同じく上記に加えて，折り畳み棚の簡易にして確実な上記起倒回動及び水平支持を行うものとするように，これを，上記ブラケットが水平支持部を備え，該水平支持部に各折り畳み棚を載置し，突き当て係合し又は係止することによって，上記階段状水平の配置支持を行ってなることを特徴とする請求項１，２，３又は４に記載のフラワースタンドとしたものである。
【０００６】
本発明は，これらをそれぞれ発明の要旨として，上記課題解決の手段としたものである。
【０００７】
【発明の実施の形態】
以下図面の例に従って本発明を更に具体的に説明すれば，Ａはフラワースタンドであり，該フラワースタンドＡは，左右一対の基台フレーム１と複数の折り畳み棚１０とを備えてなり，上記左右一対の基台フレーム１は，それぞれ支柱２，傾斜枠３及び連結枠４を備えて形成することによりＡ字形，三角形等の側面所定形状を呈するとともにこれらの折り畳みを可能として左右に対向配置した折り畳み自在にしたものとしてあり，また複数の折り畳み棚１０は，該一対の基台フレーム１に上下方向に奥行幅に応じた間隔を置いてそれぞれ同一方向に向けて起倒回動自在とするとともに起立することにより上記傾斜枠３の前方に位置して階段状水平に配置支持自在に設置したものとしてあり，フラワースタンドＡは，上記一対の基台フレーム１と各折り畳み棚１０を一体的な面状に折り畳み自在としてなるものとしてある。
【０００８】
本例において基台フレーム１は，例えばアルミ押し出し材にして，枠強度を充分に確保するようにそれぞれＣ字チャンネル材，中空矩形状のホロー材，所定厚さのプレート材等によるものとした支柱２，傾斜枠３及び連結枠４を用いて，例えばＡ字形の側面形状を呈する一対のものを左右に配設して構成してあり，このとき上記一対の基台フレーム１は，これを，支柱２，傾斜枠３及び連結枠４によるＡ字形の一部に形成される三角形の２つの交点において回動自在の軸支固定を行い，他の１つの交点において取り外し自在の固定を行うことによって，該固定を外した交点における折曲により折り畳みを行うようにしてあり，本例の基台フレーム１にあって，上記２つの交点における回動自在の軸支固定は，支柱２を基準部材として，その上端に傾斜枠３の上端を，下端に連結枠４の後端をそれぞれ支軸５を用いて，例えば軸支用のプレート状金具等を介することにより支柱２と傾斜枠３とを，上端の交点，特に頂点において前後に突き合わせ状にするように間接的に行ったものとしてあり，一方上記他の１つの交点における取り外し自在の固定は，上記支柱２の長手方向中間位置の外側面に連結枠４を軸支固定し，該連結枠４の自由端に形成した，例えば切り欠き溝又は切り欠き孔等による係止部６を，傾斜枠３の長手方向中間位置に突出設置した，例えば係止ピン，係止フック等による係止受け７に係脱自在に係止することによって行ってあり，これにより上記２つの軸支によって傾斜枠３を前方に開くように回動し，連結枠４による上記係止を行うことによって，上記Ａ字形の基台フレーム１を形成するとともにその安定性を備えたものとし，また上記係止を外して傾斜枠３を回動することによって支柱２，傾斜枠３及び連結枠４の，特に支柱２，傾斜枠３の前後突き合わせ状にして，連結枠４の支柱重合状の折り畳みを容易且つ確実になしうるようにしてある。
【０００９】
また本例にあって上記一対の基台フレーム１は，支柱連結手段８を配設してあり，本例の該支柱連結手段８は，これを一対の基台フレーム１における支柱２をクロスバー状に連結補強する一対のクロス枠よりなるものとし，このとき本例のクロス枠は，同じくアルミ押し出し材，特に上記と同様に枠強度を確保するように，Ｃ字チャンネル材，ホロー材，所定厚さのプレート材等を用いて構成したものとしてあり，その各長手方向先端と支柱との交点を，例えばネジ，リベット等の固定金具９を用いて固定することによって，上記クロス状に支柱を連結するとともに支柱２間の間隔を規制して，一対の基台フレーム１に対する補強を行い，フラワースタンドＡとしての自立強度を向上し，その保形性を充分に確保するものとしてある。
【００１０】
このように形成し，支柱補強手段８をそなえた左右一対の基台フレーム１に対して，複数の折り畳み棚１０は，該複数の折り畳み棚１０の同一方向に向けた起倒回動を，上端の折り畳み棚１０において３／４円回動して支柱２背面に対接する転倒折り畳みを行うように支柱２又は傾斜枠３上端に上向き起倒回動自在に軸支固定することにより，その余の折り畳み棚１０において約３／８円以下回動して傾斜枠３正面に対接する転倒折り畳みを行うように傾斜枠３中間に同じく上向き起倒回動自在に軸支固定することによりそれぞれ行ってなるものとし，また上記複数の折り畳み棚１０の傾斜枠３前方に位置した階段状水平の配置支持は，支柱２又は傾斜枠３に配設して正面側に水平突出したブラケット１４が水平支持部１８を備え，該水平支持部１８に各折り畳み棚１０を載置し，突き当て係合し又は係止することによって，その階段状水平の配置支持を行ったものとしてある。
【００１１】
本例において折り畳み棚１０は，それぞれ例えば左右一対の平行にして，上記基台フレーム１の間隔に応じてその外側面に位置するように配置した左右一対の平行にして，例えば上記と同様に，例えばＣ字チャンネル材，ホロー材，所定厚さのプレート材等によるアルミ押し出し材を用いて構成したアーム１１に，例えば樹脂にして，面強度を十分に確保するように，同じくＣ字チャンネル材，ホロー材，所定厚さのプレート材等による成形材，特に同じく押し出し材の棚板１２を，上記アームの後端部分を残すように載置固定することによって形成したものとしてあり，該アーム１１の後端部分を，上記支柱２又は傾斜枠３に回動自在の軸支固定を行うことによって，各折り畳み棚１０，特にその上記成形材による棚板１２の奥行幅，即ち前後幅に応じて，本例にあってほぼこれと等しい間隔を置いて配設し，同一方向に向けたその各起倒回動を自在としたものとしてある。
【００１２】
上記回動自在の軸支は，本例にあって，例えばアルミ鋳物，強化樹脂，鋼等の材料によって形成したブラケット１４を介して，折り畳み棚１０毎にその各アーム１１の，上端の折り畳み棚１０にあっては後端部分を，これより下位に位置するその余の折り畳み棚にあっては先端部分を，それぞれ支軸１７を用いて軸着することによって，上端に位置する折り畳み棚１０にあっては支柱２の上端に対して，これを３／４円回動し，支柱２背面に対接乃至重合状にした折り畳みの，反転状回動の転倒位置と傾斜枠３前方の水平の起立位置までの間で起倒するように，またその余の折り畳み棚１０にあっては傾斜枠の長手方向中間に対して，これを約３／８円以下回動し，傾斜枠３に対接する折り畳みの，上方跳ね上げによる転倒位置と傾斜枠前方の水平の起立位置までの間で起倒するように，それぞれ行ってあり，このとき上記ブラケット１４は，これを，上記折り畳み棚１０の軸支固定用とするとともに併せてこれら各折り畳み棚１０の階段状水平の配置支持を行うように，上記支柱２又は傾斜枠３に固定して正面側に水平突出した水平支持部材を兼ねるものとしてあり，本例のブラケット１４は，上記支軸１７を用いて軸着する垂直面をなす軸支部１６と，例えば後端を切り欠く等の措置を施して上記折り畳み棚１０，特にそのアーム１１の回動を妨げないように構成した，該ブラケット１４に，載置受け止め用の載置面又は突き当て係合用の突き当て面による水平支持部１８を備えたものとすることによって，該ブラケット１４と水平支持部材とを一体に形成したものとしてあり，即ち本例のブラケット１４は，所定幅に切断した，支柱２又は傾斜枠３の対向面内側又は外側，本例にあって内側に対接固定する固定部１５及び上記垂直面をなす軸支部１６とを前後に具備するように形成した垂直壁面と，その下端又は上端に外側に向けて折曲形成し，上記アーム１１を，上端の折り畳み棚１０においてはその下面を載置し，その余の折り畳み棚１０においてはその上面を突き当て係合するとともに，その回動を許容して，回動の妨げとならないように，上記下面を載置するときは後端部を，上面を突き当て係合するときは前端部をそれぞれ切り欠き，上記垂直壁面より，該切り欠き分を短く形成することによってそれぞれ水平支持部１８をなすようにした水平突出壁とを一体に有するものとしてある。
【００１３】
以上のように形成した本例のフラワースタンドＡは，一対の基台フレーム１を，支柱２に軸支した傾斜枠３を前方に開くように回動し，連結枠４を同じく回動して，その係止部６を，傾斜枠３の係止受け７に係止し，支柱連結手段８の連結補強下において，その自立強度と保形性を確保した状態にして，庭，ベランダ等に自立据置設置する一方，各折り畳み棚１０を，上端の折り畳み棚１０にあっては支柱２背面に対接乃至重合状にして折り畳み棚表裏反転状の吊り下げ折り畳み位置から３／４円回動し，その余の折り畳み棚にあっては傾斜枠３に同じく対接状にして折り畳み棚表裏反転状の跳ね上げ折り畳み位置から約３／８円以下それぞれ回動して，ブラケット１４の水平支持部１８に上記上端の折り畳み棚１０を突き当て係合，その余の折り畳み棚１０を載置してこれら折り畳み棚をそれぞれ傾斜枠３の前方に階段状水平に配置支持することによって，工具等を用いることなく，ワンタッチ状の容易な作業による簡易にして確実な設置が可能となり，またこれと逆に各折り畳み棚１０を，上端の折り畳み棚１０にあっては水平位置から３／４円回動して，基台フレーム１の上端を越えて支柱２背面に上記対接乃至重合状にして軸支部による表裏反転状の吊り下げ折り畳みを行い，その余の折り畳み棚１０にあっては水平位置から約３／８円上向きに回動して上記傾斜枠３に同じく対接状にして表裏反転状の跳ね上げ折り畳みを行うことによって，同じく工具等を用いることなく，ワンタッチ状の容易な作業による簡易にして確実な，特に一対の基台フレーム１と各折り畳み棚１０を一体的な面状に折り畳むことによる撤去が可能となり，その保管等の省スペース化を行うことができる。
【００１４】
図中１３は棚板１２のアーム１１に対する固定金具である。
【００１５】
図示した例は以上のとおりとしたが，フラワースタンドの上記上端及び傾斜枠中間の折り畳み棚の上向き起倒回動自在の軸支固定に代えて，これら上端及び傾斜枠中間の折り畳み棚を，それぞれ傾斜枠に１／４円以下回動して下向き起倒回動自在に軸支固定したものとして構成すること，基台フレームを，例えば，支柱，傾斜枠及び連結枠による直角三角形等の三角形とし，支柱を上端を前方に折曲したＬ字形にすることにより台形とするように，その側面形状を所定の適宜形状とすること，基台フレームにおける連結枠を支柱，傾斜枠間の下端を連結し，またこれらの間を傾斜連結するものとすること，支柱，傾斜枠，連結枠を，支柱に傾斜枠を軸支し，傾斜枠に連結枠を軸支して，連結枠を支柱に取り外し自在に固定するようにすること，基台フレームに，上記クロス枠による以外の，例えば支柱を中間又は上下において連結補強する単一乃至複数の水平枠による支柱連結手段を配設すること，上端の折り畳み棚を傾斜枠長手方向中間の上方位置に上向き起倒回動自在に軸支固定することにより，該上端の折り畳み棚を含めて，各折り畳み棚を傾斜枠の前方に位置するものとすること，このとき水平支持部を設けたブラケットを，支柱又は傾斜枠に水平方向回動自在にすることにより，折り畳み棚の回動を可能にし且つその載置による水平支持を可能にするように構成すること，ブラケットの水平支持部を，コ字状，Ｕ字状等にすること，同じくブラケットの水平支持部を，折り畳み棚との間で，これを係止することにより，その水平の配置支持を行うものとすること，各回動用の軸支に代えて，ヒンジ，リンクを用いることにより，その折り畳みを可能にするように構成すること等を含めて，本発明の実施に当たって，基台フレーム，折り畳み棚，支柱支持手段，軸支手段，ブラケット，その水平支持部等の各具体的材質，形状，構造，これらの関係，これらの回動角度，これらに対する付加等は，上記発明の要旨に反しない限り，それぞれ適宜に変更して，様々な形態のものとすることができる。
【００１６】
本発明は以上のとおりに構成したから，請求項１及び２に記載の発明は，上記在庫の保管，不要撤去時の保管，運搬等のための省スペース化をなしうるとともに設置と撤去を可及的に簡易且つ確実になしうるようにしたフラワースタンドを提供でき，請求項３は，上記に加えて，一対の基台フレームの安定性を確保し，その折り畳みを容易に行うものとすることができ，請求項４に記載の発明は，同じく上記に加えて，フラワースタンドの自立強度を向上し，その保形性を充分に確保することができ，請求項５に記載の発明は，同じく上記に加えて，折り畳み棚の簡易にして確実な上記起倒回動及び水平支持を行うものとすることができる。
【図面の簡単な説明】
【図１】  フラワースタンドの正面図である。
【図２】  フラワースタンドの背面図である。
【図３】  フラワースタンドの使用状態を示す側面図である。
【図４】  フラワースタンドの折り畳み棚を折り畳んだ状態を示す側面図である。
【図５】  フラワースタンドの折り畳み状態を示す側面図である。
【図６】  フラワースタンドの使用状態の拡大側面図である。
【図７】  支柱と傾斜枠及び上端折り畳み棚のアームとの関係を示す部分拡大斜視図である。
【符号の説明】
Ａ  フラワースタンド
１  基台フレーム
２  支柱
３  傾斜枠
４  連結枠
８  支柱連結手段
１０  折り畳み棚
１４  ブラケット
１８  支柱支持部
【図１】
0003790359.tif 000002
【図２】
0003790359.tif 000003
【図３】
0003790359.tif 000004
【図４】
0003790359.tif 000005
【図５】
0003790359.tif 000006
【図６】
0003790359.tif 000007
【図７】
0003790359.tif 000008